(57)【要約】本発明は前のボード１０と後のボード２０を離隔状態で固定させる連結要素４０を含むスケートボードに関するものであって、前記二つのボードの中で少なくとも一つはプレート１１，２１の底面に附着する一つ以上の方向性キャスター１３，２３を具備し、前記連結要素４０は捩じれまたは曲げの時、弾性復元することのできる弾性体５５を具備することを特徴とする。これによってスケートボード走行の時、小さな半径で回転が可能であり、使用者が足で地面を蹴らずに、乗っている状態で身の捩じれ運動だけでも推進力を得ることができる。
2005537820.tif 000002
【特許請求の範囲】
【請求項１】
前のボード（１０）と後のボード（２０）とを離隔状態で固定させる連結要素を含むスケートボードであって、
前記二つのボード（１０，２０）の少なくとも一つは、プレート（１１，２１）の底面に固定された一つ以上の方向性キャスター（１３，２３）を含み、
前記連結要素は、捩じれ又は曲げ力を受けた際に弾性的に捩じれあるいは曲がり、かつこれら捩じれ又は曲げ力が解除された際には初期形状に復元することができるように、弾性体を具備したことを特徴とするスケートボード。
【請求項２】
前のボード（１０）は前記方向性キャスター（１３）を含み、後のボード（２０）は固定タイヤセット（６１）を一つ以上含むことを特徴とする請求項１記載のスケートボード。
【請求項３】
前記連結要素は、内部に弾性体を具備した捩じれパイプ（４０）で構成されたことを特徴とする請求項１記載のスケートボード。
【請求項４】
前記連結要素は、前記捩じれパイプ（４０）と、該捩じれパイプ（４０）の両側方に該ねじれパイプと平行に前記前後の二つのボード（１０，２０）に結合された二つの弾性体（６５）と、で構成されたことを特徴とする請求項１記載のスケートボード。
【請求項５】
前のボード（１０）と後のボード（２０）を離隔状態で固定させる連結要素を含むスケーティングボードであって、
前記二つのボード（１０，２０）はプレート（１１，２１）と前記プレート（１１，２１）の底面に固定された一つ以上の方向性キャスターの刃（７３，８３）を含み、
前記連結要素は、捩じれ又は曲げ力を受けた際に弾性的に捩じれあるいは曲がり、かつこれら捩じれ又は曲げ力が解除された際には初期形状に復元することができるように、弾性体を具備したことを特徴とするスケーティングボード。
【発明の詳細な説明】
【技術分野】
【０００１】
本発明は、スケートボード及びスケーティングボードに関するものであって、前後に分離されたボードとこれらを連結させる弾性体を具備した連結要素で構成され、またボードのタイヤとして方向性キャスター (direction-caster) を具備することによって、小さな半径の回転が容易で走行の時、使用者が捩じれ運動だけでも推進力を得ることのできるスケートボード及びスケーティングボードに関するものである。
【背景技術】
【０００２】
従来のスケートボードは、図７ａに示したように長い楕円形のプレート１１１とプレート底面にローラーが二つずつ具備された二つのタイヤセット１１３，１２３で構成されている。このような構成の従来のスケートボードは、平地走行の中には使用者が片足で地面を蹴って推進することができるし、走行中に回転する時には使用者が足でボードを進行方向に対して左右側面に傾ける方法で回転することができた。
【０００３】
一方、従来のキャスター１３０は、図７ｂに示すようにローラー支持台１３４、ローラーアーム１３５、ローラー１３６で構成されている。このような従来のキャスターは、少ない力を加えてもローラー１３の転がる方向が変わる性質によって主に手押車の前輪として使われている。
【０００４】
ところが、上記の従来のスケートボードにおいては、走行の時、使用者が足で地面を蹴らないでスケートボードを推進することができないか、不可能ではないとしてもそれは極めて優れた技術を持った使用者でなければできないことであった。
【０００５】
また、走行中の回転の時にもプレートが側面へある程度以上傾いてしまうと、タイヤがプレートに触れるためプレートを大きく傾けることができなくなって回転半径が大きくなるしかないという問題点があった。
【発明の開示】
【発明が解決しようとする課題】
【０００６】
従って、本発明の目的は、スケートボードの走行中に小さな回転半径での回転を容易にし、走行の時に推進力を得るために足で地面を蹴る代わりに身の捩じれ運動だけでも推進することのできるスケートボードを提供することにある。
【課題を解決するための手段】
【０００７】
上記目的を果たすために、本発明は前のボードと後のボードとを離隔状態で固定させる連結要素を含むスケートボードであって、前記二つのボードの少なくとも一つはプレート底面に固定された一つ以上の方向性キャスターを含み、前記連結要素は捩じれまたは曲げの時に弾性復元することができるように弾性体を具備したことを特徴とするスケートボードを提供する。
【０００８】
ここで、前記前のボードは、前記方向性キャスターを含み、後のボードは固定のタイヤセットを一つ以上含むことを特徴とすることもできる。
そして、連結要素は捩じれパイプとして前記捩じれパイプの内部に弾性体を具備することが望ましい。
また、前記連結要素は前記捩じれパイプと捩じれパイプの両方へこれと平行に前後の二つのボードに結合された二つの弾性体で成り立つことが望ましい。
【０００９】
一方、本発明は前のボードと後のボードとを離隔状態で固定させる連結要素を含むスケーティングボードであって、前記二つのボードはプレートと前記プレートの底面に固定した一つ以上の方向性キャスターの刃を含み、前記連結要素は捩じれまたは曲げの時に弾性復元することができるように弾性体を具備したことを特徴とするスケーティングボードを提供することもできる。
【発明の効果】
【００１０】
スケートボード走行の時、小さな半径での転が可能であり、使用者が足で地面を蹴らずに、乗っている状態で身の捩じれ運動だけでも推進力を得ることができるものとなる。
【発明を実施するための最良の形態】
【００１１】
以下、本発明の実施例を添付図面を参照しながら詳しく説明する。
本発明によるスケートボードは、図１に示したように前後二つのボード１０，２０とこれを離隔して連結する捩じれパイプ４０とで構成されている。
ボード１０，２０は、プレート１１，２１とプレートの底面に固定された方向性キャスター１３，２３、及び捩じれパイプ４０と固定し結合する締結要素１２とで構成されている。
【００１２】
方向性キャスター１３，２３は、図２に示したようにプレートに固定されたローラー支持台３４、ローラー支持台３４と回転軸で繋がれて相対的回転が可能なローラーアーム３５、そしてローラーアーム３５の腕の中心部に軸で繋がれたローラー３６を含んでおり、前記ローラー支持台３４は、ローラー支持台３４と前記プレート１１の接触面と、ローラー支持台３４とローラーアーム３５が見合わせる面との間の角が鋭角θになるようにクサビ型に形成されている。
【００１３】
このような方向性キャスター１３，２３を具備したスケートボードにおいて、図３ａのように使用者が前のボード１０上の足を進行方向の右側に傾ければ、前のボード１０の方向性キャスター１３のローラーアーム３５はその反対方向である左側に曲がって行くようになり、ローラー３６は右側を向けて転がるようになることによって右側回転が成り立つ。
【００１４】
これと反対に、図３ｂのように使用者が後のボード２０上の足を進行方向の右側に傾ければ後のボード２０の方向性キャスター２３のローラーアーム２５は反対方向である左側に曲がって行き、ローラー２６は右側を向けて転がるようになって後のボード２０が右側回転をする結果、全体的には左側に回転するようになる。
【００１５】
今度は図３ｃのように上記二つの場合に基づいて、前のボード１０は進行方向の右側に傾けて後のボード２０は左側に傾ければ全体的に小さな半径の右側回転が成り立つようになる。また、走行中に前後のボード１０，２０を両方とも片側へ傾ければその方向に平行移動するようになる。
【００１６】
一方、図３ｄはスケートボードの走行の時に必要な推進力の発生メカニズムを説明したものとして、使用者が左に身を捩じる運動をした場合を表わしたものである。スケートボードは使用者が左側の捩じれ運動をすることによって、前のボード１０は＋ｙ方向に、後のボード２０は−ｙ方向に力を受けるようになり、このような力の大きさに相応してボード下部に位置した方向性キャスター１３，２３の転がる方向も進行方向に対して一定の角α，βを成すようになる。
【００１７】
また、方向性キャスター１３，２３のローラー支持台３４，２４のクサビ型形象の特性によって、使用者が身を捩じる力に起因し、方向性キャスター１３，２３の転がる方向に分力Ｆ１，Ｆ２が発生するようになる。したがって、このような分力Ｆ１，Ｆ２の水平成分（Ｆ１ｃｏｓα，Ｆ２ｃｏｓβ）がスケートボードを前方に前進させる推進力の役目をするようになる。従って、使用者は走行中にスケートボードの推進力を得るために足で地を蹴る必要はなく、単にボード１０，２０上で身を左右側に捩じれば良いのである。勿論、ここでＦ１，Ｆ２の垂直成分（Ｆ１ｓｉｎα，Ｆ２ｓｉｎβ）はスケートボードの重量中心を中心とし回転運動を発生させるモーメントの役目をするようになる。
【００１８】
捩じれパイプ４０は図４ａのように、前後二つのパイプ４１，５０、後のパイプ５０とベアリング５１で連結されて空回りが可能だが互いに分離されない内側のパイプ５２、そして内側のパイプ５２に固着されて前のパイプ４１と内側のパイプ５２が互いに空回りすることができないように結合する掛け金スプリング５３，５４で構成されており、さらに内部に板スプリング５５を具備している。
【００１９】
板スプリング５５は一端が図４ｂのように内側のパイプ５２に結合され、他端がホルダー５６によって後のパイプ５０に結合されて、前後のパイプ間の相対的な捩じれ運動によって弾性変形し、捩じれの力の消滅の時に捩じれパイプ４０を元の状態に回復させる役目をする。このような捩じれパイプ４０の構成によってスケートボードの走行中の方向回転や推進力発生のために前後二つのボードを左右に傾ける場合にも板スプリング５５の復元力が作用して使用者が均衡を維持するようにすることによって走行の安全を図ることができる。
一方、掛け金スプリング５３，５４の掛け金５４によって二つのボードを分離する場合、嵩を減らすことができ、保管及び携帯が便利である。
【００２０】
ここで、スケートボードの前後のボード１０，２０の底面に固定された方向性キャスター１３，２３は、各ボード１０，２０の底面に二つ以上のインライン（in-line）形態に、又は横軸に並んで配置することができる。これらの場合には、回転半径が僅かに大きくなる反面、安定性は増加する。
【００２１】
また、図５ａのように前記スケートボードの前のボード１０のタイヤは、方向性キャスター１３を具備し、後のボード２０のタイヤは、回転軸ではない固定軸を持っている固定タイヤセット６１を一つ以上具備することもできる。この場合、回転は前のボード１０でのみ可能であり、安全性を考慮して乳児または小児用で使われることができる。
【００２２】
ここで、スケートボードの前後二つのボード１０，２０を連結する捩じれパイプ４０において、その内部に板スプリング装置５５，５６，５７を具備しないで、図５ｂのように捩じれパイプ４０の両側に、これと平行に弾性ゴム６５などのような弾性体を配置して前後二つのボード１０，２０に各弾性体の両端を付着させる方法で、捩じれなどの場合に対して弾性復元力を得ることもできる。
【００２３】
最後に、図６のように上記の方向性キャスター１３，２３の構成要素であるローラー３６，２６をスケートの刃７６，８６で取り替えた方向性キャスターの刃７３，８３を製作して、スケーティングボードの前後のボード１０，２０のプレート１１，２１底面に附着することによって、氷や雪の上でもスケーティングができるスケーティングボードとしても考えられる。
【図面の簡単な説明】
【００２４】
【図１】本発明の一実施例によるスケートボードの斜視図である。
【図２】本発明の構成要素である方向性キャスターの側面図である。
【図３ａ】本発明によるスケートボードの走行の時に回転方法を説明する平面図である。
【図３ｂ】本発明によるスケートボードの走行の時に回転方法を説明する平面図である。
【図３ｃ】本発明によるスケートボードの走行の時に回転方法を説明する平面図である。
【図３ｄ】本発明によるスケートボードの走行の時に推進力の発生メカニズムを表わす平面図である。
【図４ａ】本発明において連結要素の一実施例である捩じれパイプを示す断面図である。
【図４ｂ】本発明において連結要素である捩じれパイプの内部に具備される板スプリングの設置状態を示す斜視図である。
【図５ａ】本発明による他の実施例の概路図である。
【図５ｂ】本発明による他の実施例の概路図である。
【図６】本発明によるスケーティングボードの一実施例示す斜視図である。
【図７ａ】従来のスケートボードの斜視図である。
【図７ｂ】従来のスケートボードのキャスターの側面図である。
【符号の説明】
【００２５】
１０  前のボード
１１  プレート
１３  方向性キャスター
２０  後のボード
２１  プレート
２３  方向性キャスター
４０  捩じれパイプ
６１  固定タイヤセット
６５  弾性体
７３  方向性キャスターの刃
８３  方向性キャスターの刃
【図１】
2005537820.tif 000003
【図２】
2005537820.tif 000004
2005537820.tif 000005
2005537820.tif 000006
2005537820.tif 000007
2005537820.tif 000008
【図６】
2005537820.tif 000009
2005537820.tif 000010
【手続補正書】
【提出日】平成16年7月21日(2004.7.21)
【手続補正１】
【補正対象書類名】特許請求の範囲
【補正対象項目名】全文
【補正方法】変更
【補正の内容】
【特許請求の範囲】
【請求項１】
前のボード（１０）；
後のボード（２０）；
前のボード（１０）と後のボード（２０）とを離隔状態で固定させる連結要素；及び、
前記二つのボード（１０，２０）のそれぞれの底面に固定された少なくとも一つの方向性キャスター（１３，２３）；
を含んでなるスケートボードであって、
前記連結要素は、捩じれ又は曲げ力の少なくとも何れかを受けた際に弾性的に捩じれかつこれらの力が解除された際には初期形状に復元する弾性体を具備したことを特徴とするスケートボード。
【請求項２】
前のボード（１０）は少なくとも一つの前記方向性キャスター（１３）を含み、後のボード（２０）は少なくとも一つの固定タイヤセット（６１）を含むことを特徴とする請求項１記載のスケートボード。
【請求項３】
前記連結要素は、内部に弾性体を具備した捩じれパイプ（４０）で構成されたことを特徴とする請求項１記載のスケートボード。
【請求項４】
前記連結要素は、前記捩じれパイプ（４０）と、それぞれ一端が前のボードに接続されかつ他端が後のボードに接続された二つの弾性体（６５）とで構成され、二つの前記弾性体は互いに略平行に配置されていることを特徴とする請求項１記載のスケートボード。
【請求項５】
少なくとも一つの前記方向性キャスターがスケートの刃（７６）を備えたものであることを特徴とする請求項１記載のスケートボード。
【請求項６】
少なくとも一つの前記方向性キャスターが少なくとも一つのローラーを備えたものであることを特徴とする請求項１記載のスケートボード。
【請求項７】
前記連結要素が、前記捩じれパイプと、それぞれ一端が前のボードに接続されかつ他端が後のボードに接続された二つの弾性体とを備え、前記捩じれパイプは二つの前記弾性体の間に配置されていることを特徴とする請求項１記載のスケートボード。
【請求項８】
前記捩じれパイプと二つの前記弾性体とは互いに略平行であることを特徴とする請求項７記載のスケートボード。
【請求項９】
前記方向性キャスターが、
前記ボードに取り付けられたクサビ型のローラー支持台と、
前記ローラー支持台に回動自在に取り付けられたローラーアームと、
前記ローラーアームの自由端に回転自在に取り付けられたローラーと、
を備えていることを特徴とする請求項１記載のスケートボード。
【請求項１０】
前のボード；
後のボード；
前のボードと後のボードとを離隔状態で固定させる連結要素；及び、
前記二つのボードのそれぞれの底面に固定された少なくとも一つの方向性キャスター；
を含んでなるスケートボードであって、
前記連結要素は、捩じれ力が付与されることによって捩じられる捩じれ要素を備えていることを特徴とするスケートボード。
【請求項１１】
前記捩じれ要素が捩じれパイプであることを特徴とする請求項１０記載のスケートボード。
【請求項１２】
前記方向性キャスターが、
前記ボードに取り付けられたクサビ型のローラー支持台と、
前記ローラー支持台に回動自在に取り付けられたローラーアームと、
前記ローラーアームの自由端に回転自在に取り付けられたローラーと、
を備えていることを特徴とする請求項１０記載のスケートボード。
【請求項１３】
ボードと、
前記ボードの底面の前部及び後部にそれぞれ取り付けられた少なくとも一つの前の方向性キャスター及び少なくとも一つの後の方向性キャスターと、
を備えてなるスケートボード。
【請求項１４】
前記方向性キャスターが、
前記ボードに取り付けられたクサビ型のローラー支持台と、
前記ローラー支持台に回動自在に取り付けられたローラーアームと、
前記ローラーアームの自由端に回転自在に取り付けられたローラーと、
を備えていることを特徴とする請求項１３に記載のスケートボード。
【国際調査報告】
2005537820.tif 000011